(57)【特許請求の範囲】
【請求項１】
毛髪束（１１）に毛髪束効果を作り出すための装置（１）であって、前記装置（１）が、
ａ．第１の部分（１０）及び
ｂ．第２の部分（２０）
を含み、
前記第１の部分（１０）が、ヘアトリートメント組成物（１５）を含むための空洞（１２）を含み、
前記第２の部分（２０）が、内側表面（２０１）、外側表面（２０２）及び輪郭（２０３）を含むプレートであり、
前記プレートが、実質的に平らなプレート、凸状プレート、凹状プレート及びこれらの組み合わせからなる群から選択され、
第１のスロット（２１）及び第２のスロット（２２）が、前記プレートを貫通して配置され、
前記第１の部分（１０）の前記空洞（１２）内で前記毛髪束（１１）を曲げるためのシステム（７０）が、前記第２の部分（２０）に連結されており、
前記システム（７０）が、少なくとも第１のフィン（７１）及び第２のフィン（７２）を含み、
前記第１のフィン（７１）が、前記第１のスロット（２１）内に係合され、前記第２のフィン（７２）が、前記第２のスロット（２２）内に係合され、
それぞれのフィン（７１、７２）が、自由末端縁部（７１２、７２２）を有し、
前記第１のフィン（７１）の前記自由末端縁部（７１２）が、前記第２のフィン（７２）の前記自由末端縁部（７２２）の方を向き、
前記第１の部分（１０）が、接続部（３０）によって、前記第２の部分（２０）に移動可能に接合され、それにより、前記第２の部分（２０）が、前記第１の部分（１０）に対して、遠隔関係から並置された関係にされ、
その並置された関係において、前記第１のフィン（７１）及び／又は前記第２のフィン（７２）の少なくとも一部が、前記第１の部分（１０）の前記空洞（１２）内に突き出ており、
第１及び第２の前記自由末端部（７１２、７２２）は、前記接合部（３０）によって画定される軸線Ａに垂直又は斜めであるが、平行ではない、装置（１）。
【請求項２】
前記第１の部分（１０）の前記空洞（１２）が、外辺部（１３）によって範囲を定められ、
前記第１の部分（１０）が、外側縁部（１４）を更に含み、
制御区域（１６）が、前記空洞（１２）の前記外辺部（１３）から前記外側縁部（１４）の間に延在し、
第１の計量層（８１）が、前記第１の部分（１０）の前記制御区域（１６）の少なくとも一部の上に延在し、
前記第１の計量層（８１）が、不織布、発泡体及びこれらの組み合わせからなる群から選択される材料である、請求項１に記載の装置（１）。
【請求項３】
第２の計量層（８２）が、前記第２の部分（２０）の少なくとも一部の上に延在し、
前記第２の計量層（８２）が、不織布、発泡体及びこれらの組み合わせからなる群から選択される材料である、請求項１又は２のいずれか一項に記載の装置（１）。
【請求項４】
前記プレートは凹状プレートであり、前記システム（７０）が、前記プレートの前記内側表面（２０１）に連結されている、請求項１に記載の装置（１）。
【請求項５】
前記システム（７０）の前記第１のフィン（７１）及び前記第２のフィン（７２）が、４つの縁部及び２つの矩形の面を含む平行六面体の形態を有する請求項１に記載の装置（１）。
【請求項６】
前記第１のフィン（７１）の部分及び前記第２のフィン（７２）の部分が、前記外側表面（２０２）の後ろの、前記第１のスロット（２１）及び前記第２のスロット（２２）の外側に突出し、
前記システム（７０）が、前記第１のフィン（７１）の前記突出している部分を、前記外側表面（２０２）を超えて前記第２のフィン（７２）の前記突出している部分に接続する接合部材（７６）を更に含む、請求項１に記載の装置（１）。
【請求項７】
前記第１の計量層（８１）が、前記制御区域（１６）の少なくとも２つの部分の上に延在する、請求項２に記載の装置（１）。
【請求項８】
前記第２の計量層（８２）が、前記プレートの前記内側表面（２０１）の少なくとも一部の上に延在し、かつ前記プレートの前記輪郭（２０３）に沿って延びる、請求項３に記載の装置（１）。
【請求項９】
前記フィン（７１、７２）の少なくとも１つが、エンボス（１０７〜１１４）、圧痕及びこれらの組み合わせからなる群から選択される１つ以上の変更部を含む、請求項１〜８のいずれか一項に記載の装置（１）。
【請求項１０】
少なくとも１つの、請求項１〜９のいずれか一項に記載の装置（１）と、
前記ヘアトリートメント組成物（１５）と
を含む、毛髪束効果を作り出すキット（６０）であって、
前記ヘアトリートメント組成物（１５）が、ハイライト用組成物、染色用組成物、スタイリング用組成物、パーマ用組成物及びこれらの混合物からなる群から選択される、キット（６０）。
【請求項１１】
前記キット（６０）が、毛髪束（１１）をマーキングし、かつ残りの毛髪から分離するための１つ以上のマーキング道具（３００、３００’）を更に含む、請求項１０に記載のキット（６０）。
【請求項１２】
前記キット（６０）が、備品（１３）を更に含み、
前記備品（１３０）が、毛髪束（１１）をマーキングし、かつ残りの毛髪から分離するための複数のマーキング道具（３００、３００’）を含み、
前記複数の道具（３００、３００’）のそれぞれの道具が、独立して、しかし前記備品（１３）から取り外し可能に連結され、
前記道具（３００、３００’）のそれぞれが、実質的に平らである、請求項１０に記載の前記キット（６０）。
【請求項１３】
毛髪束効果を作り出すための方法であって、
ｉ．毛髪束（１１）を選択する工程と、
ｉｉ．１つ以上のマーキング道具（３００、３００’）を適用することによって、所望により前記選択された毛髪束（１１）をマーキングし、かつ分離する工程と、
ｉｉｉ．前記選択された毛髪束（１１）の少なくとも一部を、請求項１〜９のいずれか一項に記載の前記装置（１）の、前記第１の部分（１０）と前記第２の部分（２０）との間に設置する工程と、
ｉｖ．前記第２の部分（２０）を前記第１の部分（１０）に並置された関係にする工程と
を含む、毛髪束効果を作り出すための方法。
【発明の詳細な説明】
【技術分野】
【０００１】
本発明は、ヘアトリートメント組成物のケラチン性繊維、好ましくは毛髪の束への、正確で、清浄で、乱雑でない適用を可能にする装置に関する。本発明による装置は、毛髪束効果を作り出すためのヘアトリートメント組成物のために特に意図されている。
【背景技術】
【０００２】
別個の毛髪束へのヘアトリートメント組成物の適用は、人気があり、毛髪の外観を変更する従来の方法である。毛髪束効果（hair bundle effects）を作り出すためのヘアトリートメント組成物には、ハイライト用組成物、染色用組成物、パーマ用組成物、スタイリング用組成物又はこれらの混合物が挙げられる。
【０００３】
ハイライト用組成物及び染色用組成物によってもたらされるものなどの毛髪束効果は、所望の場所に正確に適用されなければならない。毛髪束効果を作り出すための消費者製品の製造業者によって提供される取扱説明書は一般に、ヘアトリートメント組成物を混合し、毛髪に安全に適用する方法に限定されている。しかしながら、一般家庭の消費者は、こぎれいで、清浄な方法でヘアトリートメント組成物を適用し、専門サロンで得られるものに似た毛髪束効果を再現するという難題に直面している。
【０００４】
例えば、ヘアトリートメント組成物の過剰な量が毛髪束に適用された場合、そのヘアトリートメント組成物は、残りの毛髪に付着する恐れがあり、全体の最終結果を変える場合がある。加えて、ハイライト及び染色用組成物などのヘアトリートメント組成物は、メラニン色素を漂白する強力な酸化剤を含む。それらの反応性の化学的な性質を考慮すると、ハイライト用及び染色用組成物の適用のほとんどは、毛髪束の根元ラインに予想外に過剰に供給された場合、頭皮にも付着する恐れがある。これは場合によっては、不必要な、頭皮の炎症につながることがある。最終的に、毛髪束の長さに沿った、ヘアトリートメント組成物の非均一な適用は、視覚的に許容できない最終結果を作り出す場合がある。
【０００５】
ハイライトを作り出すためのキャップ及びフックのシステムが、当該技術分野において周知である。図１に示されているように、キャップ（２）は、孔（４）を備える。キャップ（２）は、毛髪及び頭皮の上でしっかり位置決めされ、次いで毛髪束（１１）を、孔（４）を通ってフック（３）で引き抜くことによって、毛髪束（１１）が選択される。この工程は、複数の毛髪束に対して繰り返される。次いで、選択された毛髪束はハイライト用組成物を用いて処理される。キャップ及びフックのシステムにはいくつかの欠点がある。第一に、キャップの孔を通って毛髪束を引張るプロセスは痛みを伴う。第二に、処理すべき毛髪束の位置に関する選択は、キャップにある孔の位置に限定される。第三に、孔を通って引張られる毛髪束は、必ずしも孔のすぐ下にある頭皮から生えているものとは限らないので、孔を通って毛髪束を引張るプロセスは予期しない最終結果に結び付く可能性がある。
【０００６】
キャップ及びフックのシステムへのいくつかの代替が、米国特許第６，０６２，２３１号、米国特許出願公開第２００３／００２４５４４号及び米国特許３，０３０，９６８号に提案されている。それにも関わらず、これらの開示のいずれも、こぎれいで、清浄で、散乱しない方法でのヘアトリートメント組成物の自己適用及び専門サロンで得られるものに似た毛髪束効果を作り出すことを可能にする装置を提供していない。
【０００７】
毛髪束効果を作り出すためのヘアトリートメント組成物の自己適用は、それ自体が、特にハイライトを作り出すためのものにおいて難しいということが一般的に認識されている。期待された最終結果を達成するためには、ヘアトリートメント組成物の自己適用を容易にすることができる装置が、いくつかの技術的な難題に対処するために考えられなければならない。
【０００８】
装置は、専門のスタイリストによって作り出されるものと比較可能な毛髪束効果の質を作り出すためのヘアトリートメント組成物の適用において、消費者を手助けすべきである。使用中の乱雑状態を防止するために、装置からのヘアトリートメント組成物の置換及び液だれ（dripping out）を回避しながら、装置は、典型的にゲル、クリーム又はペーストのような配合されたヘアトリートメント組成物を適用するように設計されるべきである。装置は使用が容易であり、確かに安価であり、製造が容易であるべきであり、どれくらいのヘアトリートメント組成物及びどこに装着するかなどの問題でいずれかの特別な経験及び訓練を必要とすべきではない。理想的には、消費者は製造メーカーによって提示される２〜３の取扱説明書に単に従うことにより、アプリケータを装着し、使用できなければならない。
【先行技術文献】
【特許文献】
【０００９】
【特許文献１】米国特許第６，０６２，２３１号
【特許文献２】米国特許出願公開第２００３／００２４５４４号
【特許文献３】米国特許３，０３０，９６８号
【発明の概要】
【発明が解決しようとする課題】
【００１０】
このように、当該技術分野において残っている解決されるべきものは、上記の技術的問題を克服できる装置である。
【００１１】
本装置（以下に本明細書で定義されるように）が、毛髪束効果をもたらすためのヘアトリートメント用組成物の適用を有意に改善できるということが、今では判明している。
【課題を解決するための手段】
【００１２】
本発明は、毛髪束（１１）に毛髪束効果を作り出すための装置（１）を用いて、第１の態様で上記に記載された技術的問題に対する解決策を提供するものであり、本装置（１）は、
ａ．第１の部分（１０）及び
ｂ．第２の部分（２０）を含み、
第１の部分（１０）は、ヘアトリートメント組成物（１５）を含むための空洞（１２）を含み、第１の部分（１０）の空洞（１２）内で毛髪束（１１）を曲げるためのシステム（７０）は、第２の部分（２０）に連結されており、システム（７０）は、少なくとも第１のフィン（７１）及び第２のフィン（７２）を含み、それぞれのフィン（７１、７２）は自由末端縁部（７１２、７２２）を有し、第１のフィン（７１）の自由末端縁部（７１２）は、第２のフィン（７２）の自由末端縁部（７２２）の方を向き、第１の部分（１０）は、接続部（３０）によって、第２の部分（２０）に移動可能に接合されて、それにより、第２の部分（２０）は、第１の部分（１０）に対して、遠隔関係から並置された関係にされて、その並置された関係において、第１のフィン（７１）及び／又は第２のフィン（７２）の少なくとも一部は、第１の部分（１０）の空洞内に突き出る。
【００１３】
第２の態様では、本明細書で開示される本発明は、本明細書に記載されたように少なくとも１つの装置（１）及びヘアトリートメント組成物（１５）を含む、毛髪束効果を作り出すためのキット（６０）を用いて、上記の技術的問題を解決する。本発明は、
ａ．毛髪束（１１）を選択する工程と、
ｂ．所望により、選択された毛髪束（１１）を、１つ以上のマーキング道具（３００、３００’）を適用することによってマーキングし、かつ分離する工程と、
ｃ．選択された毛髪束（１１）の少なくとも一部を、本明細書に記載のように装置（１）の、第１の部分（１０）と第２の部分（２０）との間に設置する工程と、
ｄ．第１の部分（１０）を第２の部分（２０）に並置された関係にする工程と、を含む、毛髪束効果を作り出すための方法にも関する。
【図面の簡単な説明】
【００１４】
【図１】キャップ及びフックのシステムを使用して、毛髪をハイライトする従来技術の一実施形態。
【図２】装置（１）の一実施形態の一部の斜視図であり、示されている部分は、第１の部分（１０）。
【図３】図２に示されている実施形態の軸線Ｘ−Ｘ’に沿った断面図。
【図４】図３で示されている円Ｃによって範囲が定められた実施形態の一部の拡大図。
【図５】装置（１）の一実施形態の一部の斜視図。示されている部分は、第２の部分（２０）及び接続部（３０）。
【図６】図５に示されている実施形態の軸線Ｘ−Ｘ’に沿った断面図。
【図７】装置（１）の一実施形態の断面図。
【図８】装置（１）の別の実施形態の断面図。
【図９】第２の部分（２０）の形態及び形状を示すための、装置（１）の一実施形態の一部の斜視図。
【図１０】装置（１）の一実施形態の一部の斜視図。この実施形態は、第２の部分（２０）の形状及び形態。
【図１１】本発明による装置（１）の一実施形態の斜視図を例示。
【図１２】図１２（左）は図１１で示されている装置（１）の実施形態の断面図。図１２（右）では並置された関係にあるのに対して、第２の部分（２０）は、第１の部分（１０）に遠隔関係にある。
【図１３】本発明による装置（１）の一実施形態の斜視図。
【図１４】装置（１）の一実施形態の一部の斜視図。本実施形態は、システム（７０）の第１及び第２のフィン（７１、７２）の形状及び形態。
【図１５】装置（１）の別の実施形態の一部の斜視図。この実施形態は、システム（７０）の第１及び第２のフィン（７１、７２）の形状及び形態。
【図１６】装置（１）の一実施形態の一部の斜視図。この実施形態は、システム（７０）の第１及び第２のフィン（７１、７２）の縁部の形状。
【図１７】装置（１）の一実施形態の一部の斜視図。この実施形態は、システム（７０）の第１及び第２のフィン（７１、７２）の縁部の形状。
【図１８】装置（１）の一実施形態の一部の斜視図を例示。この図は、システム（７０）の第１及び第２のフィン（７１、７２）の形態及び形状。
【図１９】装置（１）の一実施形態の一部の別の斜視図。この図は、システム（７０）の第１及び第２のフィン（７１、７２）上のエンボス（１０７〜１１４）。
【図２０】装置（１）の一実施形態の一部の斜視図。この図は、システム（７０）の第１及び第２のフィン（７１、７２）上の櫛歯（７００、７００’）。
【図２１】平面Ｐ及び毛髪束（１１）を示している、本発明による装置（１）の一実施形態の斜視図。
【図２２】図２１に示されている装置（１）の実施形態の軸線Ｘ−Ｘ’に沿った断面図。この図において、第２の部分（２０）は、第１の部分（１０）に並置された関係にある。毛髪束（１１）は、平面Ｐと角度αを形成するように示されている。
【図２３】本発明による装置（１）の実施形態の斜視図であり、２つの追加のフィン（７３、７４）が、システム（７０）内の第１及び第２のフィン（７１、７２）と並んで示されている。
【図２４】本発明による装置（１）の好ましい実施形態の１つの斜視図。
【図２５】図２４に示されている装置（１）の実施形態の軸線Ｘ−Ｘ’に沿った断面図。
【図２６】図２４に示されているシステム（７０）の斜視図。
【図２７】本発明による装置（１）の好ましい実施形態の別の斜視図。
【図２８】図２７に示されている装置（１）の実施形態の軸線Ｘ−Ｘ’に沿った断面図。
【図２９】本発明による装置（１）の好ましい実施形態の別の斜視図。
【図３０】図２９に示されている装置（１）の実施形態の軸線Ｘ−Ｘ’に沿った断面図。
【図３１】図２９に示されている装置（１）の代替実施形態の軸線Ｘ−Ｘ’に沿った断面図であり、第１及び第２の保持ノブ（１０１、１０２）は、接合部材（７６）によって置き換えられている。
【図３２】本発明による装置（１）の好ましい実施形態の別の斜視図。
【図３３】本発明による装置（１）を含むキット（６０）の一実施形態を例示する。
【図３４】複数のマーキング道具（３００、３００’）を含む備品（１３０）の一実施形態を図示。
【図３５】複数のマーキング道具（３００、３００’）を含む備品（１３０）の別の実施形態を例示。
【図３６】本発明のキット（６０）内に含まれるメッシュ（１００）の平面図。
【発明を実施するための形態】
【００１５】
定義
本発明の目的のために、用語「毛髪」は生きている毛髪、即ち生物上の毛髪及び、生きていない毛髪、即ちかつら、ヘアピース又は生きていないケラチン性繊維の集合体の両方を指す。哺乳類、好ましくはヒトの毛髪が意図される。
【００１６】
「毛髪束」によって、少なくとも２本の個々の髪の繊維を意味する。
【００１７】
「毛髪束効果」によって、毛髪の頭全体上というよりはむしろ、複数の独立した毛髪束上に作り出される効果を意味する。この効果は、残りの毛髪よりも明るい若しくは暗い色調の毛髪束、異なる色又は巻き毛若しくは縮れ毛などの異なるスタイルであってもよい。
【００１８】
本発明の目的のために、用語「の方を向く」は、〜の傾向がある、〜の方に曲げる、〜に向く、〜に向ける及び縁をなすと同義語として使用される。用語「の方を向く」は、それが言及する形状の方向を示すために使用される。
【００１９】
本発明の目的のために、用語「プレート」は、本明細書ではキャップ、最上部（top）、蓋及びカバーの同義語として、使用される。
【００２０】
本発明の目的のために、用語「空洞」は、本明細書では、くぼみ、隙間、孔、井戸、ポケット及びクレータの同義語として使用される。
【００２１】
本発明の目的のため、用語「〜の上に延在する」は、形状を配置する行為ではなく、形状が配置される場所を示すのに使用される。
【００２２】
１．装置
本発明による装置（１）内の形状の特有の組み合わせは、上記の技術的問題への解決策を提供する。装置（１）は、好ましくは人間工学的寸法であり、より好ましくは、それはどちらか一方の手の上に容易に適合すべきである。
【００２３】
本発明による装置の第１の部分（１０）は、図２に示されているように、空洞（１２）を含む。空洞（１２）は、ヘアトリートメント組成物（１５）を含むためである。空洞（１２）は、実質的に円形、楕円形、正方形又は矩形であってもよい。その形状に関係なく、空洞（１２）が、単一の毛髪束上に少なくとも１つの毛髪束効果をもたらすために十分なヘアトリートメント組成物（１５）を収容することは必要である。好ましくは、装置（１）の空洞（１２）は、約０．２５ｃｍ3〜約３０．００ｃｍ3、より好ましくは約０．５０ｃｍ3〜約１５．００ｃｍ3、更により好ましくは約１．００ｃｍ3〜約１０．００ｃｍ3の量のヘアトリートメント組成物（１５）を含有する。第１の部分（１０）はその上、場合によっては、容器、ハウジング、シェル、チャンバ及びリザーバであってもよいということは容易に明らかになるであろう。空洞（１２）は、図４に示されているように、外辺部（１３）によって、範囲が定められている。外辺部（１３）の輪郭は、曲がった輪郭、鋭い輪郭、ギザギザのある輪郭、輪郭及びこれらの組み合わせからなる群から選択されてもよい。
【００２４】
第１の部分（１０）は、図４に示されているように外側縁部（１４）を更に含む。外辺部（１３）に関して上記と同様に、外側縁部（１４）の外形は、曲がった外形、鋭い外形、波型の外形及びこれらの組み合わせからなる群から選択されてもよい。制御区域（１６）は、空洞（１２）の外辺部（１３）と第１の部分（１０）の外側縁部（１４）との間に延在する。理論に束縛されるものではないが、本発明による装置（１）内の制御区域（１６）の存在は、装置（１）の外側へのヘアトリートメント組成物（１５）の滲出や滴だれを制限すると考えられている。装置（１）が使用されるとき、ヘアトリートメント組成物（１５）は空洞（１２）から移されてもよい。制御区域（１６）は、組成物が移動してもよい領域で寄与することによって、装置（１）から移されたヘアトリートメント組成物（１５）の滴だれを防止する。制御区域（１６）は、好ましくは、約１ｍｍ〜約２０ｍｍ、より好ましくは約２ｍｍ〜約１５ｍｍ、更により好ましくは約２ｍｍ〜８ｍｍの幅を有する。
【００２５】
装置（１）は、第２の部分（２０）を更に含む。第２の部分（２０）は、様々な形態及び形状を有してもよい。好ましくは、第２の部分（２０）はプレートである。プレートは、その長さ及び幅にわたって、一定又は可変の厚さを有してもよい。プレートは、図５及び６で示されているように、内側表面（２０１）、外側表面（２０２）及び輪郭（２０３）を含む。プレートは、図７及び８で示されているように、実質的に平らなプレート、凸状プレート、凹状プレート及びこれらの組み合わせからなる群から選択されてもよい。あるいは、第２の部分（２０）は、例えば、環状の、Ｕ字形の、又はＣ字の形部分を形成するように機械的又は化学的に接続された複数片を含んでもよい。これらのいくつかの例が図９及び１０に示されている。
【００２６】
第１の部分（１０）及び第２の部分（２０）は、ポリオレフィン、アクリロニトリルブタジエンスチレン、適切なところには、板紙などの可撓性で柔軟な基材、ポリカーボネート及びこれらの組み合わせを含む材料から製造されてもよい。製造の有用な方法には、射出成形、共射出成形、真空成形及びこれらの組み合わせが挙げられる。
【００２７】
第１の部分（１０）は、図１１に示されているように、接続部（３０）によって第２の部分（２０）に移動可能に接合されている。第１の部分（１０）と第２の部分（２０）との間の接続部（３０）は、後者（第２の部分（２０））が消費者によって正確にかつ容易に、それぞれの毛髪束（１１）にガイドされるために、装置（１）にわたる制御の知覚を改善するために必要とされる。加えて、接続部（３０）は、第１の部分（１０）上に第２の部分（２０）の位置を調整する必要なく、消費者が装置（１）を１つの毛髪束（１１）から別の束へと、それぞれの適用後に動かすことを可能にする。接続部（３０）は、第１の部分（１０）及び第２の部分（２０）が、遠隔関係から並置された関係へと交互に入れ替わるのを可能にする。並置された関係において、第１のフィン（７１）及び／又は第２のフィン（７２）は、図１２に示されているように空洞（１２）内に突き出しており、これは以下に更に詳細に記載されるであろう。並置された関係における時点で、ユーザーが第１の部分（１０）と第２の部分（２０）との間に毛髪束を設置するのに十分な空間を残さないように、第１のフィン（７１）及び第２のフィン（７２）は空洞内に突き出る。理論に束縛されるものではないが、移動可能に接合され、遠隔関係と並置された関係との間を交互にすることができる第１の部分（１０）及び第２の部分（２０）を有する装置（１）を用いることで、消費者はヘアトリートメント組成物（１５）の適用において、手助けされると考えられている。遠隔関係から並置された関係への移行を容易にするために、装置（１）は、所望により１つ以上の適合手段（６００）を含むことができる。図１３に示されているように、適合手段（６００）は、ユーザーの指を収容するために第１の部分（１０）上に及び／又は第２の部分（２０）上に実装されてもよい。
【００２８】
好ましくは、接続部（３０）それ自体は、好ましくははねかえりによって、第２の部分（２０）に対して、第１の部分（１０）の初期の関係を回復してもよい。第１の部分（１０）及び第２の部分（２０）は、消費者の手を含む、例えば、親指及び人さし指を介して、上記の要件を満たす接続部（３０）によって移動可能に接合される。本発明の別の態様において、第１の部分（１０）及び第２の部分（２０）は、ピンセット様又はトング様の接続部（３０）のアームの端部で実装される。別の態様では、第１の部分（１０）及び第２の部分（２０）は、１つ以上のヒンジによって移動可能に接合される。接続部（３０）が１つ以上のヒンジであるとき、第１の部分（１０）と第２の部分（２０）との間の角度は、２０°〜２７５°、好ましくは３０°〜１９０°、より好ましくは４０°〜９０°の範囲であってもよい。ヒンジを製造するのに有用な材料には、とりわけ第１の部分（１０）を製造するのに本明細書で上記のもの及びこれらの組み合わせが挙げられる。ヒンジは、とりわけ「ライブ（live）」射出成形されたヒンジ、板バネ及びピンヒンジを含む、当業者によって既知の様々な製造技術を使用して形成されることができる。
【００２９】
本発明による装置（１）は、第２の部分（２０）に連結されるシステム（７０）を含む。本発明の１つの態様において、第２の部分（２０）がプレートであるとき、システム（７０）は、プレートの内側表面（２０１）に連結されている。システム（７０）は、図５〜１０で示されているように、少なくとも第１のフィン（７１）及び第２のフィン（７２）を含む。どちらのフィンが第１のフィン（７１）及び第２のフィン（７２）と呼ばれるかは重要ではない。本発明の範囲内で、用語「フィン」は、実質的に一定又は可変の厚さを有してもよい、材料のストリップ又はシートを定義する。第１のフィン（７１）及び第２のフィン（７２）の外形は多様であってもよい。矩形、正方形、円、楕円形、楕円形の外形又はこれらの組み合わせが使用されてもよい。いくつかの実施例が、図１４及び１５に示されている。好ましくは第１のフィン（７１）及び第２のフィン（７２）は、実質的に同一の形状及び形態を有する。より好ましくは、第１のフィン（７１）及び第２のフィン（７２）は、平行六面体の形態を有する。この形態は、４つの縁部及び２つの面の存在を押し付け、後者（２つの面）は矩形の外形を有する。各縁部は、他から独立して、図１６及び図１７において示されているように直線、正弦波形状又は小円鋸歯状（crenulated）であってもよい。縁部の輪郭は、鋭く又は曲線状であってもよい。同様に、これらの縁部での角部は鋭く又は曲線状であってもよい。本発明の１つの態様において、第１のフィン（７１）及び／又は第２のフィン（７２）は、図１８において示されているように、一緒に接合された又は互いに隣接したピースによって作り出されてもよい。本発明の別の態様において、フィン（７１、７２）の少なくとも１つは、図１９において例示されているように、エンボス（１０７〜１１４）、圧痕及びこれらの組み合わせからなる群から選択された１つ以上の変更部を含んでもよい。本発明の別の態様において、第１のフィン（７１）及び／又は第２のフィン（７２）は、図２０上で示されているように、１つ以上の櫛歯（７００、７００’）、１つ以上の剛毛及びこれらの組み合わせからなる群から選択される追加の形状を含んでもよい。
【００３０】
装置（１）内で、図２１において示されているように、平面（Ｐ）が画定され得る。毛髪束（１１）が第１の部分（１０）と第２の部分（２０）との間に置かれているとき、その毛髪束（１１）は、平面（Ｐ）上に置かれる。毛髪束（１１）は、第１の部分（１０）と第２の部分（２０）との間に、第１及び第２のフィン（７１、７２）の自由末端縁部（７１２、７２２）に対して横方向に置かれる。第２の部分（２０）を第１の部分（１０）に並置された関係にすることによって、毛髪束（１１）は、システム（７０）によって空洞（１２）内で曲げられ、図２２に示されているように平面（Ｐ）と約２５°〜約５５°の鋭角を形成する。好ましくは、角度は、約３５°〜約５５°、より好ましくは約３５°〜約５０°である。第２の部分（２０）を第１の部分（１０）に並置された関係に保持しながら、システム（７０）を通して空洞（１２）内で毛髪束（１１）を曲げることによって及び毛髪束（１１）の長さに沿って、好ましくは根元から先端（roots-to-tips）に装置（１）を移動することによって、ヘアトリートメント組成物（１５）は毛髪束に適用される。
【００３１】
本発明によると、システム（７０）は、図２３において示されているように、第１のフィン（７１）及び／又は第２のフィン（７２）に平行な１つ以上の追加のフィン（７３、７４）を所望により更に含んでもよい。
【００３２】
第１のフィン（７１）、第２のフィン（７２）及び存在する場合はいずれかの追加のフィン（７３、７４）を含むシステム（７０）は、装置（１）を製造するのに使用されるのと同じ射出又は共射出成形内で製造されてもよい。ポリプロピレン、アクリロニトリルブタジエンスチレン、アクリル系、アクリロニトリルスチレンアクリレート、エチレンビニルアルコール、ポリカーボネート、ポリスチレン、ラテックス、シリコーン又は熱可塑性エラストマー（ＴＰＥ）が使用されてもよい。好ましくは、材料はＴＰＥ、シリコーン及びこれらの組み合わせからなる群から選択される。好ましくは、フィンは可撓性である。有用な製造プロセスには、射出成形、共射出成形、オーバーモールド（over moulding）、金型内組立（in-mould assembly）、圧縮成型、吹込成形、熱又は真空成形を挙げることができるが、これらに限定されない。
【００３３】
システム（７０）が、装置（１）から独立して製造されるとき、本明細書の上記のように、様々な材料を使用して製造することができる。システム（７０）は、様々な方法で第２の部分（２０）に連結されてもよい。一般的に、システム（７０）は、化学的手段、機械的手段又はこれらの組み合わせからなる群から選択される手段によって、第２の部分（２０）に連結され得る。有用な方法は、圧力、超音波力、無線周波数若しくは高周波、共押出熱活性型接着剤（co-extruded heat activated adhesives）、両面テープ、熱硬化性、ホットメルト及びコールドシール、接着又は押出成形ラミネーションであるが、これらに限定されない。システム（７０）を第２の部分（２０）に連結するために、ベルクロ（Velcro）（登録商標）、クランプ、スナップロック、シール・ビーズ、ロックピン及び磁性などの機械的インターロック又は絡み合いもまた使用してもよい。
【００３４】
システム（７０）が第２の部分（２０）に連結されている方法に関係なく、第１及び第２の自由末端縁部（７１２、７２２）は実質的に垂直又は実質的に斜めであるが、図９、１０、１１、１４及び又は１５によって示されているように、実質的に軸線Ａに平行ではないように、空洞（１２）内で第１のフィン（７１）及び第２のフィン（７２）は突き出る。
【００３５】
第１の計量層（８１）は、制御区域（１６）の少なくとも一部の上に延在することができる。好ましくは、第２の計量層（８２）は、第２の部分（２０）の少なくとも一部の上に延在する。第２の部分（２０）がプレートであるとき、第２の計量層（８２）は、プレートの内側表面（２０１）の少なくとも一部の上に延在する。より好ましくは、第２の計量層（８２）は、プレートの内側表面（２０１）の少なくとも一部の上に延在し、プレートの輪郭（２０３）の少なくとも一部に沿って延在する。第１の計量層（８１）及び第２の計量層（８２）は、連続性又は非連続性であってもよい。非連続性によって、第１の計量層（８１）及び第２の計量層（８２）が軌跡（loci）又は小島（islets）を形成することができる又は遮断することができるということを意味する。第１の部分（１０）及び第２の部分（２０）が並置された関係にされるときに、前述の第１の計量層（８１）及び前述の第２の計量層（８２）が実質的に並置されるように、好ましくは、第１の計量層（８１）及び第２の計量層（８２）は、特定される。
【００３６】
本発明による第１の計量層（８１）及び第２の計量層（８２）は、約０．４０ｍｍ〜約２１．８８ｍｍ、好ましくは約０．６３ｍｍ〜約１７．５０ｍｍ、更により好ましくは約０．７９ｍｍ〜約１３．１３ｍｍの組み合わされた厚さを有することができる。前述の第１及び第２の計量層（８１、８２）のキャリパーは「ＡＳＴＭ  Ｄ  ５３７６〜９５嵩高不織布布地の厚さの標準試験法（Standard Test Method for Thickness of Highloft Non-Woven Fabrics）」に記載されている一般的な手順を使用して判定された。幅に関して、好ましくは第１の計量層（８１）は制御区域（１６）と実質的に等しい幅を有する。
【００３７】
理論に束縛されるものではないが、第１の計量層（８１）及び第２の計量層（８２）は、本明細書において記載されるように、制御区域（１６）の機能性を更に強化すると考えられる。第１の計量層（８１）及び第２の計量層（８２）は、装置（１）からのヘアトリートメント組成物（１５）の液だれの防止を助けるだけでなく、毛髪束の全体の長さへのヘアトリートメント組成物（１５）の適用の均一性も増加させる。特に、ヘアトリートメント組成物（１５）がハイライト用組成物又は染色用組成物であるとき、均一性はヘアトリートメント組成物（１５）の適用において、重要な面である。これらのヘアトリートメント組成物（１５）によってもたらされるパーマネント効果は、適用の後にすぐに現れるものではなく、結果が魅力的でない場合、それは容易には無効にできないことがある。
【００３８】
不織布、発泡体及びこれらの組み合わせからなる群から選択される材料を含みながら、第１の計量層（８１）及び第２の計量層（８２）は、お互いから独立している。
【００３９】
好適な不織布は、アセテート繊維、アクリル繊維、セルロースエステル繊維、モダクリル繊維、ポリアミド繊維、ポリエステル繊維、ポリオレフィン繊維、ポリビニルアルコール繊維、レーヨン繊維、ポリエチレン発泡体、ケラチン繊維、セルロース繊維、絹、綿及びウールなどの織物繊維及びこれらの組み合わせから選択される天然又は合成繊維からなる。不織布は、ポリオレフィン若しくはポリエステルなどのモノコンポーネント繊維、ポリエチレン／ポリプロピレン若しくはポリエチレン／ポリエステルのシース／コア繊維又は並列繊維などのバイコンポーネント繊維、あるいは２つ以上の熱可塑性ポリマーのブレンドによって構成される２組成繊維（bi-constituent fibers）からなってもよい。
【００４０】
好適なカード不織材の例には、ＰＧＩ  ２１４、リベルテックス（Libeltex）０１−７６６  ＤＩ−４、ＰＧＩ  ４１８３、ＰＧＩ  １７２−０７１−１１、ＰＧＩ  １７２−０７１−１２、ＰＧＩ  １７２−２９０−３、ＰＧＩ  １７２−２９０−４、ＰＧＩ  １７２−２９０−６、ＰＧＩ  １７２−２９０−７及びＰＧＩ  １７２−２９０−１２が挙げられる。好適な不織布の更なる例には、ＵＳＦＥＬＴ  Ｆ−５０及びアールストローム（Ahlstrom）１８００８が挙げられる。
【００４１】
発泡体材料は、低密度エラストマー、プラスチック及び様々な特性を有する他の材料から作製されてもよく、成型、鋳造、押出成形、引き抜き成形、機械加工、熱成形、プラスチック溶接、吹込成形、ラピッドプロトタイピング技術、研削及び／又は他の専門プロセスを用いながら、完成した外形へと製造できる連続気泡発泡体、独立気泡発泡体、可撓性発泡体、網状発泡体及びシンタクチック発泡体から選択されてもよい。発泡体材料は、アクリロニトリル−ブタジエン−スチレン；アクリル、エポキシ樹脂、フルオロポリマー、イソプレン−スチレン及びスチレンブタジエンスチレン、シリコーン、ポリウレタン、ポリオレフィン及びネオプレンなどの様々なシステムに基づく合成ゴム又はエラストマー、ニトリルゴム、天然ゴム（ポリイソプレン）又は硬化型繊維（vulcanized fibre）などの天然若しくは植物ベースの原材料から形成されたプラスチック又はエラストマー、水ベース及び水性（water-borne）樹脂並びにラテックス材料を含む、様々な化学システムから構成されてもよい。発泡体のための化学系には、エチレンコポリマー、発泡ポリエチレン、ポリカーボネート、ポリエステル、ポリエーテル、ポリエーテルイミド、ポリイミド、ポリオレフィン、ポリプロピレン、フェノール類、ポリ尿素及びビニルが挙げられる。好適な発泡体の例には、レクティセル・ブルプレン（Recticel Bulpren）Ｄ３２１３３、レクティセル（Recticel）Ｄ２７１５０  Ｂ及びレクティセル・ブルプレン（Recticel Bulpren）Ｓ３１０４８が挙げられる。
【００４２】
本発明の第１の計量層（８１）及び第２の計量層（８２）は、非連続的なパターンで又は別個の軌跡で結合している外側縁部によって物理的に重ね合わされ、連続的に接合された（積層された）同様又は異なる材料の１つ以上の層を有する複合材料を含んでもよい。
【００４３】
第１の計量層（８１）及び第２の計量層（８２）は、本発明の範囲内において、方法は計量層（８１、８２）の性能を破壊しない又は変えない任意の方法で第１の部分（１０）及び第２の部分（２０）にそれぞれ取り付けられてもよい。有用な方法は、これに限定されるものではないが、圧力、超音波力を包含する熱溶接、無線周波数又は高周波数、共押出した熱活性化接着剤、静電接着、例えば繊維によるフロック加工である。第１及び第２の計量層（８１、８２）はまた、両面テープ、熱硬化性、ホットメルト及びコールドシール、接着又は押出成形ラミネーションを含む、接着剤を介して取り付けられてもよい。ベルクロ（Velcro）（登録商標）などの、機械的なインターロック又はからみ合わせ、クランプ、スナップロック、シール・ビーズ、ロックピン及び磁性もまた、接着するのに使用されてもよい。
【００４４】
好ましい実施形態
以下の好ましい実施形態は、毛髪束効果を作り出すための装置（１）に関する。
図２４は、本発明による装置（１）の第一の好ましい実施形態を例示する。この実施形態において、第２の部分（２０）は、内側表面（２０１）及び外側表面（２０２）を含むプレートである。システム（７０）は、プレートの内側表面（２０１）に連結されている。システム（７０）は、第１のフィン（７１）及び第２のフィン（７２）を含む。図２４及び２５で示されているように、プレートは、第１のフィン（７１）と第２のフィン（７２）との間で凹状であるが、他の場所では実質的に平らである。第１及び第２のフィン（７１、７２）は、平行六面体の形態を有する。前述のように、この形態は、４つの縁部及び２つの面の存在を決定づけている。第１のフィン（７１）の第１の自由末端縁部（７１２）は、第２のフィン（７２）の第２の自由末端縁部（７２２）の方を向く。この実施形態において、第１の末端縁部（７１２）は、第２の自由末端縁部（７２２）に実質的に平行であり、第１及び第２の自由末端縁部（７１２、７２２）は両方とも、図２４に示されているように、実質的に軸線Ａに垂直に延在する。図２４、２５及び２６で示されているように、第１のフィン（７１）上及び第２のフィン（７２）上のもう一方の残っている縁部は、接続部の側上の第１及び第２の後縁部（７１３、７２３）、第１及び第２の後縁部（７１３、７２３）に対向する第１及び第２の先導縁部（７１６、７２６）及び第１及び第２の上縁部（７１７、７２７）である。第１のフィン（７１）上の２つの面は、第１の内側表面（７１４）及び第１の外側表面（７１５）であり、第２のフィン（７２）上では、第２の内側表面（７２４）及び第２の外側表面（７２５）である。好ましくは、これらの面（７１４、７２４、７１５、７２５）のそれぞれの表面積は、約０．２５ｃｍ2〜約３０．００ｃｍ2、好ましくは約０．５０ｃｍ2〜約１５．００ｃｍ2、より好ましくは約１．００ｃｍ2〜約５．００ｃｍ2である。この実施形態において、第１のフィン（７１）の第１の外側表面（７１４）及び第２のフィン（７２）の第２の外側表面（７２４）は、図２６に示されているようにそれぞれ４つのエンボス（１０７〜１１４）を含む。エンボス（１０７〜１１４）は、第１及び第２の外側表面上を第１の上縁部（７１７、７２７）から自由末端縁部（７１２、７２２）まで直線状に延在する。理論に束縛されるものではないが、本明細書で記載されているように、エンボス（１０７〜１１４）などの第１及び／又は第２のフィン（７１、７２）上の１つ以上の変更部は、毛髪束（１１）にスプレーし、その中で含まれている独立した毛髪繊維を、空洞（１２）内のヘアトリートメント組成物（１５）にさらすのを支援できると考えられる。
【００４５】
図２４、２５及び２６に示されているように、この実施形態でのシステム（７０）は、更に接続要素（７５）を含む。接続要素（７５）は、第１のフィン（７１）の第１の上縁部（７１７）を、第２のフィン（７２）の第２の上縁部（７２７）に接続する。接続要素（７５）それ自体は、プレートの内側表面（２０１）に連結されている。接続要素（７５）は、１つの単一のピースによって、複数の独立したピースによって又は単一のピースを形成するために化学的又は機械的に、共に接合された複数の独立した片によって形成されてもよい。システム（７０）について上記のように、接続要素（７５）は１つの材料から作製されてもよい。接続要素（７５）は、プレート及びシステム（７０）から別々に又は１つ若しくは両方の要素と一緒に製造されてもよい。この実施形態において、第１のフィン（７１）、第２のフィン（７２）及び接続要素（７５）を含むシステム（７０）は、プレートの内側表面（２０１）上でオーバーモールドされる。別の方法としては、システム（７０）は、プレートから独立して製造されてもよく、次いで、例えばコールドシール、両面テープ又は機械的なインターロックによって、内側表面（２０１）に連結されてもよい。
【００４６】
本実施形態又は異なる実施形態において、プレートが第１の部分（１０）に並置された関係にされるとき、ヘアトリートメント組成物（１５）の移動を引き起こし得る方法で、接続手段（７５）が、第１のフィン（７１）のいずれかの部分を第２のフィン（７２）のいずれかの部分に接続すると予想されないということは理解されるべきである。例えば、接続手段（７５）は、第１の自由末端縁部（７１２）を第２の自由末端縁部（７２２）に接続することからは除外される。
【００４７】
接続要素（７５）は、第１の自由末端縁部（７１２）が、プレートの形状に関わりなく、第２の自由末端縁部（７２２）の方を向くような方法で、第１のフィン（７１）及び第２のフィン（７２）の配向を維持するのを助ける。接続要素（７５）は、プレートの内側表面（２０１）に対するシステム（７０）の連結も助ける。
【００４８】
第１の計量層（８１）は、図２４に示されているように、第１の部分（１０）の制御区域（１６）の一部の上に延在する。この具体的な実施形態では、第１の計量層（８１）の厚さは、約１．０ｍｍ〜１．５ｍｍである。第２の計量層（８２）は、プレートの内側表面（２０１）の上に延在し、図２４に示されているように、プレートの輪郭（２０３）に沿って延在する。第１及び第２の自由末端縁部（the free first and second distal edges）（７１２、７２２）に平行に延在する第１及び第２の計量層（８１、８２）は、不織布から選択され、その一方、接続部（３０）に隣接する制御区域（１６）の上に延在する第１の計量層（８１）は、独立ポリエチレン発泡体である。
【００４９】
装置（１）の全体の形態は、実質的に矩形である。図２４に示されるように、全体の矩形の形状は、プレートの内側表面（２１０）及びプレートの輪郭（２０３）上で、第１及び第２の上縁部（７１７、７２７）の間にごくわずかな空間を残すので有利である。したがって、消費者が、毛髪束（１１）を装置（１）それ自体のその誘導部分で摘むかわりに、毛髪束（１１）を自由末端縁部（７１２、７２２）に実質的に垂直に設置することは、より直感的に理解される。
【００５０】
図２７は、図２４に示されている実施形態の代替案である。図２７に示されているように、図２４に示されているシステム（７０）の接続要素（７５）は、第１の支持手段（９１）及び第２の支持手段（９２）によって置き替えられている。第１及び第２の支持手段（９１、９２）は、図２８に示されているように、第１の自由末端縁部（７１２）が第２の自由末端縁部（７２２）の方を向くように、第１及び第２のフィン（７１、７２）が配向されたまま維持されるのを助ける。第１及び第２の支持手段（９１、９２）は、同じ射出又は共射出成形内で製造されてもよい。別の方法としては、フィン（７１、７２）及びそれらの対応する支持手段（９１、９２）は、同じ射出成形中に製造され、次いで機械的手段、化学的手段又は両方によってプレートの内側表面（２０１）に連結されてもよい。
【００５１】
図２９は、本明細書に記載されている装置（１）による別の実施形態を表している。内側表面（２０１）及び外側表面（２０２）を含む第２の部分（２０）はプレートである。図２９及び３０で示されているように、第１のスロット（２１）及び第２のスロット（２２）がプレートを貫通して配置されている。第１のフィン（７１）は第１のスロット（２１）内に係合され、第２のフィン（７２）は第２のスロット（２２）内に係合されている。システム（７０）の第１のフィン（７１）及び第２のフィン（７２）が、中で係合されるとき、第１のフィン（７１）の第１の自由末端縁部（７１２）が第２のフィン（７２）の第２の自由末端縁部（７２２）の方を向くように、第１のスロット（２１）及び第２のスロット（２２）はプレートを貫通して配置される。
【００５２】
この実施形態において、第１のフィン（７１）の第１の上縁部（７１７）及び第２のフィン（７２）の第２の上縁部（７２７）は、プレートの外側表面（２０２）と同じ高さである。図３０に示されているように、第１の保持ノブ（１０１）は、第１の上縁部（７１７）に取り付けられ、第２の保持ノブ（１０２）は、第２の上縁部（７２７）に取り付けられている。第１及び第２の保持ノブ（１０１、１０２）は、使用中にフィン（７１、７２）が外側表面（２０２）を超えて押されない又はそれらの対応するスロット（２１、２２）から抜け出さないように、第２のスロット（２１、２２）内に係合された第１のフィン（７１）及び第２のフィン（７２）を維持するのを助ける。第１及び第２の保持ノブ（１０１、１０２）は、好ましくはシステム（７０）と共成形（co-moulded）され、システム（７０）に関して上記のような材料から製造される。
【００５３】
図３１において、図２９で示されているような実施形態の変形が示されている。この実施形態において、第１のフィン（７１）の一部及び第２のフィン（７２）の一部は、第１のスロット（２１）及び第２のスロット（２２）の外側の外側表面（２０２）を超えて突出している。システム（７０）は、第１のフィン（７１）の突出している部分を、外側表面（２０２）の後ろで、第２のフィン（７２）の突出している部分に接続する接合部材（７６）を更に含む。好ましくは、接合部材（７６）は第１のフィン（７１）の第１の上縁部（７１７）を、第２のフィン（７２）の第２の上縁部（７２７）に接続する。別の方法としては、接合部材（７６）は、第１のフィン（７１）の突出している部分のいずれかの部分を、プレートの外側表面（２０２）の後ろで突出している、これらの部分と同じ長さで、第２のフィン（７２）の突出している部分のいずれかの部分に接続してもよい。接続手段（７５）に関して、上記のように、本発明の装置（１）は、ヘアトリートメント組成物の（１５）の置換が引き起こされ得るような方法で、内側表面（２０１）の下のフィン（７１、７２）の部分を接続する接合部材（７６）又はそれらのいずれかの同等物を除外する。
【００５４】
上記の実施形態及び図２４〜３１に例示されている形状の組み合わせは、本発明の範囲内で可能であるということは理解されるべきである。例えば、第１及び第２のフィン（７１、７２）は、プレートを通って２つのスロット（２１、２２）内で係合され、外側表面（２０２）の後ろで突出してもよい。内側表面（２０１）に連結されている接続手段（７５）が、内側表面（２０１）のすぐ下の第１及び第２のフィン（７１、７２）の部分を接続する一方で、接合部材（７６）は、２つの上縁部（７１７、７２７）を接続してもよい。他の実施形態において、本明細書に示されていないが、第１及び第２の保持ノブ（８１、８２）は、接続手段（７５）若しくは接合部材（７６）又は両方と組み合わされてもよい。同様に、接続手段（７５）は、接合部材（７６）と組み合わされてもよい。
【００５５】
図２４〜２６で明らかのように、装置（１）は好ましくは、全体的に矩形の形状を有する。より好ましくは、第１のフィン（７１）及び第２のフィン（７２）は、平行六面体の形態を有する。これらの好ましい実施における第１の計量層（８１）は、制御区域（１６）の少なくとも２つの部分の上に延在する。より好ましくは、第１の計量層（８１）は、制御区域（１６）の２つの部分の上に延在し、第１及び第２のフィン（７１、７２）の第１及び第２の自由末端縁部（７１２、７２２）に実質的に平行である。更により好ましくは、第１の計量層（８１）は、図２４に示されるように接続部（３０）に隣接する制御区域（１６）の少なくとも一部の上に又は接続部（３０）の側上で制御区域（１６）の一部上に延在する。第２の部分（２０）が第１の部分（１０）に並置された関係であるときに、第２の計量層（８２）が第１の計量層（８１）に重なり合うように、第２の計量層（８２）は、プレートの内側表面（２０１）の少なくとも一部の上に延在し、図２４〜３１に示されているように、プレートの輪郭（２０３）に沿って延在する。
【００５６】
第１の計量層（８１）及び第２の計量層（８２）は、連続的又は非連続的な方法で、好ましくは、図２４に示されているように非連続的な方法で、制御区域（１６）及び内側表面（２０１）の上に延在する。プレートが第１の部分（１０）と並置された関係にされるとき、毛髪束（１１）は、実質的に第１及び第２の自由末端縁部（７１２、７２２）に垂直である第１及び第２部分（１０、２０）との間に置かれ、それは空洞（１２）内で曲げられる。装置（１）は、次いで適用を完了するために毛髪束（１１）の長さに沿って移動される。このように、図２４〜３１に示されるように、第１の計量層（８１）及び第２の計量層（８２）は、いくつかの利点をもたらす。第１に、それらは、毛髪束（１１）を含む毛髪繊維を、後者が装置（１）に入る前にスプレーする。この第１の態様において、第１及び第２の計量層（８１、８２）は、フィン（７１、７２）のエンボス（１０７〜１１４）を代用するか、それらと協働してもよい。第２に、第１の計量層（８１）及び第２の計量層（８２）は、毛髪束（１１）が装置（１）を離れるときに、毛髪束（１１）上のヘアトリートメント組成物（１５）を計量する。この第２の態様において、第１の計量層（８１）及び第２の計量層（８１、８２）は、毛髪束（１１）上に残っており、次いで残りの選択されていない毛髪上に漏れる可能性のあるいずれか過剰のヘアトリートメント組成物を回避する。第３に、第１の計量層（８１）及び第２の計量層（８２）は、毛髪束（１１）それ自体の長さに装置が沿って動かされるとき、毛髪束（１１）の長さ及び幅に沿ったヘアトリートメント組成物（１５）の分布を助ける。この第３の態様において、第１の計量層（８１）及び第２の計量層（８２）は、ヘアトリートメント組成物（１５）の均一な適用を提供する。
【００５７】
追加的な機能
装置（１）は１つ以上のシール手段を含んでもよい。接続部（３０）がヒンジであるとき、好ましくは装置（１）は、１つのシール手段を含む。本発明の１つの態様において、シール手段は、空洞（１２）内、接続部（３０）に隣接した空洞の側上又は図３２に示されているように制御区域（１６）上に配置されてもよい。シール手段（４０１）は、接続部（３０）に隣接する第２の部分（２０）の内側表面（２０１）上に配置されている。更なる態様において、シール手段（４０１）は接続部（３０）の一部である。理論に束縛されるものではないが、第２の部分（２０）が第１の部分（１０）に並置された関係にされるときに、接続部（３０）それ自体の方へのヘアトリートメント組成物（１５）のずれを回避し、毛髪束（１１）が前述の接続部（３）でほつれるのを防ぐために、シール手段（４０１）が供給されると考えられる。第２の部分（２０）が第１の部分（１０）上の接続部（３０）の周囲で旋回されるとき、ヘアトリートメント組成物（１５）は接続部（３０）の方へずれる場合がある。接続部（３０）に隣接したシール手段（４０１）は、ずれを回避することができる。シール手段（４０１）は、毛髪束（１１）用にそれがあるところでは、ヘアトリートメント組成物（１５）が空洞（２０）内に留まるためのバリアのような役割をする。シール手段（４０１）を製造するのに有用な材料には、前述の第１のフィン（７１）用に本明細書で上記のものが挙げられるが、これに限られない。好ましくは、シール手段（４０１）はＴＰＥから製造される。
【００５８】
１つ以上の停止メカニズムが、本発明による装置（１）に組み込まれてもよい。停止メカニズムは、接続部（３０）と連携して、第２の部分（２０）が第１の部分（１０）に並置された関係にされるときに、第２の部分（２０）及びそれに連結されているシステム（７０）が、過度に第１の部分（１０）の空洞（１２）内に押し付けられないようにする。停止メカニズムは、第１の部分（１０）、第２の部分（２０）及び／又は接続部（３０）と同様の製造工程中に製造されてもよい。本発明の１つの態様において、停止メカニズムは、１つ以上の櫛歯、櫛様構造の歯であってもよい。本発明の別の態様において、２つの停止メカニズム（５０１、５０２）は、第１の部分（１０）の制御区域（１６）の上に含まれて、２つの停止メカニズム（５０３、５０４）は第２の部分（２０）の内側表面（２０１）の上に含まれる。
【００５９】
前述の停止メカニズムを製造するのに有用な材料には、本明細書で上記のように、なかでも前述の第１の部分（１０）を製造するためのこれらの材料及びこれらの組み合わせが挙げられる。
【００６０】
方法
本発明の更なる態様は、毛髪束効果を作り出すための方法である。本方法は、毛髪束（１１）を選択する工程と、以下に詳細に記載されるように、１つ以上のマーキング道具（３００、３００’）を適用することによって、所望により、この選択された毛髪束（１１）をマーキングし、かつ分離する工程と、選択された毛髪束（１１）の少なくとも一部を、本発明の装置（１）の第１の部分（１０）と第２の部分（２０）との間に設置する工程と、第２の部分（２０）を第１の部分（１０）に並置した関係にする工程と、を含む。装置（１）は、次いで毛髪束（１１）の長さに沿って移動される。所望により、このプロセスは所望の適用を得るために、更なる回数、所望により１回以上繰り返されてもよい。単一の毛髪束（１１）のためのヘアトリートメント組成物（１５）の適用がいったん終了すると、装置（１）は、第２の部分（２０）を第１の部分（１０）と遠隔関係にすることによって、別の毛髪束（１１）に移動されてもよい。ヘアトリートメント組成物（１５）は、毛髪束効果を作り出すために十分な時間、定位置に置かれていてもよい。したがって、ヘアトリートメント組成物（１５）は、毛髪を水ですすぐこと又はシャンプーすることによって取り除くことができる。
【００６１】
キット
販売及び／又は使用の目的のために、毛髪束効果を作り出すためのキット（６０）が取り付けられてもよい。キット（６０）の１つの実施形態が、図３３に示されており、そこではキット（６０）の機能が、パッケージ（９５）内に取り付けられてもよく、この具体的な実施形態においては、箱である。
【００６２】
毛髪束効果を作り出すためのキット（６０）は、本発明による少なくとも１つの装置（１）及びヘアトリートメント組成物（１５）を含む。好ましくは、キット（６０）は、残りの毛髪から毛髪束（１１）をマーキングし、かつ分離するための１つ以上のマーキング道具（３００、３００’）を更に含む。他の実施形態において、キット（６０）は備品（１３０）を更に含み、備品（１３０）は、残りの毛髪から毛髪束（１１）をマーキングし、かつ分離するための複数のマーキング道具（３００、３００’）を含む。好ましくは、複数のマーキング道具（３００、３００’）のそれぞれのマーキング道具は独立して、備品（１３０）から取り外し可能に連結されている。ヘアケアに従来使用されている、図３４及び３５に示されているようなものなど、クリップを含む多くの種類のマーキング道具（３００、３００’）を使用することができる。備品（１３０）は、複数のマーキング道具（３００、３００’）を含み、複数のマーキング道具（３００、３００’）のそれぞれの道具は、独立して備品（１３０）に取り付けられている。マーキング道具（３００、３００’）は、化学的に及び／又は機械的に備品（１３０）に取り付けられてもよい。マーキング道具（３００、３００’）は、接着剤の手段によって、例えばホットメルト接着剤によって化学的に取り付けられてもよい。マーキング道具（３００、３００’）は、インターロックによって機械的に取り付けられてもよい。好ましくは、備品（１３０）に取り付けられた複数のマーキング道具（３００、３００’）の複数のマーキング道具（３００、３００’）は、実質的に平らである。１つの態様において、備品（１３０）は、材料のシートであり、マーキング道具（３００、３００’）は材料のシートの表面に接着剤を用いて取り付けられている。材料のシートは、本明細書で以下に記載されるように、取扱説明書（９６）の１ページを含んでもよいが、これに限定されない。マーキング道具（３００、３００’）は、図３４に示されるように、ヘアケアに使用される一般的なクリップであってもよく、備品（１３０）は、クリップがその上に係合されるスティックである。図３５に例示されている他の態様において、備品（１３０）は、厚紙のシートであり、複数のマーキング道具（３００、３００’）がその厚紙シートを貫通している。それぞれのマーキング道具（３００、３００’）は、必要に応じて、厚紙のシートから切り取られる。厚紙シートは、上記で記載されているようにキット（６０）のパッケージ（９５）を含んでもよいが、これに限定されない。
【００６３】
キット（６０）は取扱説明書（９６）を更に含んでもよい。取扱説明書（９６）は、装置（１）の使用方法並びにヘアトリートメント組成物（１５）の調製及び適用方法に関する情報及び指示を含んでもよい。取扱説明書（９６）は、毛髪束効果の少なくとも１つのタイプの１つ以上の図及び、類似の毛髪束効果を得るために処理されるべき毛髪束（１１）を頭上のどこで選択するかという表示を更に含んでもよい。
【００６４】
本発明によるキット（６０）内に含まれたヘアトリートメント組成物（１５）は、ヘアトリートメント組成物（１５）を装置（１）に分配するためにサッシュ及び／又はボトル（９７）にパッケージ化されてもよい。
【００６５】
本発明によるヘアトリートメント組成物（１５）は、ハイライト用組成物、染色用組成物、パーマ用組成物、スタイリング用組成物及びそれらの組み合わせからなる群から選択される。好ましくは、ヘアトリートメント組成物（１５）は、ハイライト用組成物、染色用組成物及びそれらの組み合わせからなる群から選択され、より好ましくは、ヘアトリートメント組成物（１５）はハイライト用組成物である。
【００６６】
ヘアトリートメント組成物（１５）は、既知の従来使用されている、ないしは別の方法でヘアトリートメント組成物、特に酸化の漂白剤及び染料用組成物における使用に効果的である成分を更に含んでもよく、顕色染料化合物、カップラー染料化合物、直接染料、Ｄ＆Ｃ（医薬品及び化粧品用）オレンジ４、アシッドイエロー１、Ｄ＆Ｃレッド２８番、ディスパース（Disperse）レッド１７、ＨＣブルー１５番、アシッドブルー、酸化剤、還元剤、増粘剤、キレート剤、ｐＨ調整剤、及び緩衝剤、アルカリ化剤、カーボネートイオン源及びラジカルスカベンジャー系、グリシン、アモジメチコン、エチレンジアミン二コハク酸、アニオン性、カチオン性、非イオン性、両性若しくは双極性界面活性剤又はこれらの混合物、アニオン性、カチオン性、非イオン性、両性若しくは双極性イオンポリマー、疎水変性ポリマー又はこれらの混合物、芳香剤、分散剤、溶媒、過酸化物、過酸化物安定剤、キレート剤、保湿剤、タンパク質及びこれらの誘導体、植物性材料（例えばアロエ、カミツレ及びツマクレナイノキ抽出物）、シリコーン（揮発性又は不揮発性、変性又は非変性）、フィルム形成剤、セルロースポリマー及びそれらの誘導体、セラミド、保存剤、ゲル網状組織、変色薬及び不透明化剤が挙げられるが、これらに限定されない。好適ないくつかの補助剤は、国際化粧品成分事典及びハンドブック（International Cosmetics Ingredient Dictionary and Handbook）（第８版、化粧品、洗面用化粧品、及び芳香剤協会（The Cosmetics, Toiletry, and Fragrance Association）に列挙されている。具体的には、第２巻、第３節（化学物質分類）及び第４節（作用（Functions））が、特定の目的又は多くの目的を達成する特別な補助剤を特定するのに有用である。代表的であるが網羅的ではないポリマー及び増粘剤のリストは、「化粧品用のポリマー及び増粘剤百科事典（The Encyclopaedia of Polymers and Thickeners for Cosmetics）」、ロバート・Ｙ・ロックヘッド（Robert Y. Lochhead）ＰｈＤ及びウィリアム・Ｒ・フロン（William R. Fron）編集・監修、南ミシシッピ大学（University of Southern Mississippi）、ポリマー科学学部（Department of Polymer Science）に見出すことができる。
【００６７】
本発明の１つの態様では、ヘアトリートメント組成物（１５）は、第１の個別にパッケージ化された成分と第２の個別にパッケージ化された成分とを混合することによって調製される。混合されたとき、第１及び第２の個別にパッケージ化された構成成分は、選択された毛髪束（１１）に適用されるべきヘアトリートメント組成物（１５）を形成する。そのような組成物の例としては、典型的には酸化染料と酸化剤とを含有するいわゆる半永久及び永久着色剤、並びに、酸化剤とアルカリ化剤とを含有し、任意に過硫酸塩が付いたハイライト用組成物が挙げられる。本発明によるキット（６０）の一実施形態では、ヘアトリートメント組成物（１５）は、第１の個別にパッケージ化された成分を第２の個別にパッケージ化された成分と混合することによって調製されるハイライト用組成物である。第１の個別にパッケージ化された成分は、好ましくは、前述第１の個別にパッケージ化された成分の約３重量％〜約１２重量％の過酸化水素を含む。第２の個別にパッケージ化された成分は、好ましくは、粉末、顆粒、又はペーストの形態であり、過硫酸ナトリウム、過硫酸カリウム、過硫酸アンモニウム、及びそれらの混合物からなる群から選択された、前述第２の個別にパッケージ化された成分の約１０重量％〜約６０重量％の過硫酸塩を含む。キット（６０）は、任意に、第３の個別にパッケージ化された成分を含み、それは、前述第３の個別にパッケージ化された成分の約３重量％〜約２５重量％の、水性賦形剤中に含まれたアルカリ化剤を含む。
【００６８】
本発明の別の実施形態では、ヘアトリートメント組成物（１５）は、第１の個別にパッケージ化された成分の約１．５重量％〜約１２重量％の過酸化水素を含む第１の個別にパッケージ化された成分と、直接染料、酸化染料前駆体、酸化染料発色剤、及びそれらの混合物からなる群から選択された、第２の個別にパッケージ化された成分の約０．０１重量％〜約６重量％の染料を含む第２の個別にパッケージ化された成分とを混合することによって調製される。
【００６９】
図３２に示されているように、好ましくはキット（６０）のボトル（９７）は、開口部（９９）を有するノズル（９８）を含み、ボトル（９７）は、開口部（９９）よりも大きい、溶解されていないヘアトリートメント組成物の凝集塊を保持するためのメッシュ（１００）を更に含む。更に好ましくは、キット（６０）内に含まれるメッシュ（１００）は、図３６に示されているとおりである。理論に束縛されるものではないが、ハイライト又は着色用組成物が、上述のように個別にパッケージ化された構成成分を混合することによって作り出されるとき、過酸化水素の分解が発生する場合があると考えられる。ガスの発生は、比較的短い時間内に発生することができる。溶解されていない過硫酸塩の凝集塊が、ノズル（９８）の開口部（９９）を塞ぐ場合、ボトル（９７）内のガスによって発生する圧力が、開口部（９９）から凝集塊を排出することができる。図３６に示されるメッシュ（１００）は、開口部（９９）に凝集塊を近付けないので有利である。
【００７０】
装置（１）
キャップ（２）
フック（３）
孔（４）
第１の部分（１０）
毛髪束（１１）
空洞（１２）
外辺部（１３）
外側縁部（１４）
ヘアトリートメント組成物（１５）
制御区域（１６）
第１のスロット（２１）
第２のスロット（２２）
第２の部分（２０）
接続部（３０）
キット（６０）
システム（７０）
第１のフィン（７１）
第２のフィン（７２）
追加のフィン（７３、７４）
接続要素（７５）
接合部材（７６）
第１の計量層（８１）
第２の計量層（８２）
第１の支持手段（９１）
第２の支持手段（９２）
パッケージ（９５）
取扱説明書（９６）
ボトル（９７）
ノズル（９８）
開口部（９９）
メッシュ（１００）
第１の保持ノブ（１０１）
第２の保持ノブ（１０２）
エンボス（１０７〜１１４）
備品（１３０）
内側表面（２０１）
外側表面（２０２）
輪郭（２０３）
マーキング道具（３００、３００’）
シール手段（４０１）
停止メカニズム（５０１〜５０４）
接続手段（６００）
櫛歯（７００、７００’）
第１の自由末端縁部（７１２）
第１の後縁部（７１３）
第１の内側表面（７１４）
第１の外側表面（７１５）
第１の先導縁部（７１６）
第１の上縁部（７１７）
第２の自由末端縁部（７２２）
第２の後縁部（７２３）
第２の内側表面（７２４）
第２の外側表面（７２５）
第２の先導縁部（７２６）
第２の上縁部（７２７）
平面（Ｐ）
【００７１】
本明細書に開示される寸法及び値は、列挙された正確な数値に厳密に限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【図１】
0005503533.tif 000002
【図２】
0005503533.tif 000003
【図３】
0005503533.tif 000004
【図４】
0005503533.tif 000005
【図５】
0005503533.tif 000006
【図６】
0005503533.tif 000007
【図７】
0005503533.tif 000008
【図８】
0005503533.tif 000009
【図９】
0005503533.tif 000010
【図１０】
0005503533.tif 000011
【図１１】
0005503533.tif 000012
【図１２】
0005503533.tif 000013
【図１３】
0005503533.tif 000014
【図１４】
0005503533.tif 000015
【図１５】
0005503533.tif 000016
【図１６】
0005503533.tif 000017
【図１７】
0005503533.tif 000018
【図１８】
0005503533.tif 000019
【図１９】
0005503533.tif 000020
【図２０】
0005503533.tif 000021
【図２１】
0005503533.tif 000022
【図２２】
0005503533.tif 000023
【図２３】
0005503533.tif 000024
【図２４】
0005503533.tif 000025
【図２５】
0005503533.tif 000026
【図２６】
0005503533.tif 000027
【図２７】
0005503533.tif 000028
【図２８】
0005503533.tif 000029
【図２９】
0005503533.tif 000030
【図３０】
0005503533.tif 000031
【図３１】
0005503533.tif 000032
【図３２】
0005503533.tif 000033
【図３３】
0005503533.tif 000034
【図３４】
0005503533.tif 000035
【図３５】
0005503533.tif 000036
【図３６】
0005503533.tif 000037